(57)【特許請求の範囲】
【請求項１】
引戸本体と、この引戸本体が収納される戸袋と、少なくとも一部がこの戸袋と対応する位置に配置された戸袋対応部となっていて、前記引戸本体を移動させるための移動装置とを有し、前記戸袋と前記戸袋対応部とが壁の内部に収納されている引戸装置において、
前記壁は、前記戸袋対応部の位置に配置された下地部材と、この下地部材を覆い、かつ前記壁の外面を形成していて、前記下地部材と対応する形状、寸法となっている小面積外面形成部材を含んで形成され、前記下地部材には、前記戸袋の外側へ突出した屈曲突出部が形成されているとともに、この屈曲突出部における前記戸袋の外側の面に前記小面積外面形成部材が取り付けられ、
前記下地部材と前記小面積外面形成部材とが取り外し自在となっていて、この取り外しにより前記戸袋対応部が前記壁から露出することを特徴とする引戸装置。
【請求項２】
請求項１に記載の引戸装置において、前記屈曲突出部に前記小面積外面形成部材を取り付けることは、前記小面積外面形成部材から前記屈曲突出部に達する止着具で行われ、この止着具の先端は前記屈曲突出部から前記戸袋の内側へ突出しており、この突出量は、前記屈曲突出部の突出量よりも小さいことを特徴とする引戸装置。
【請求項３】
請求項１又は２に記載の引戸装置において、前記戸袋の引戸本体閉じ側端部には見切り材としての竪額縁が設けられ、この竪額縁には補助部材が取り付けられているとともに、これらの竪額縁と補助部材には、前記戸袋の内外方向の間隔を開けて引戸本体開き側へ延びる延出部が設けられ、これらの延出部の間に、前記下地部材における前記竪額縁側の端部が抜き取り可能に挿入され、この抜き取りにより前記下地部材が取り外し自在となっていることを特徴とする引戸装置。
【請求項４】
請求項３に記載の引戸装置において、前記下地部材における前記竪額縁側の端部は、前記補助部材の前記延出部に止着具で止められているとともに、前記下地部材における前記竪額縁とは反対側の端部は、前記戸袋の引戸本体戸尻側の縦枠に止着具で止められており、これらの止着具の抜き取りにより前記下地部材が取り外し自在となっていることを特徴とする引戸装置。
【請求項５】
請求項１〜４のいずれかに記載の引戸装置において、前記壁の外面は、前記戸袋を覆う大面積外面形成部材をも含んで形成されていることを特徴とする引戸装置。
【請求項６】
請求項５に記載の引戸装置において、前記壁は、複数の下地部材と、これらの下地部材を覆い、かつ前記壁の外面を形成している前記小面積外面形成部材及び前記大面積外面形成部材をも含んで形成され、前記戸袋対応部の位置に配置された前記下地部材は、前記複数の下地部材のうちの１個であることを特徴とする引戸装置。
【請求項７】
請求項１〜６のいずれかに記載の引戸装置において、前記小面積外面形成部材と、この小面積外面形成部材と対応する位置に配置された前記下地部材は、前記戸袋対応部の形状と対応する細長形状になっていることを特徴とする引戸装置。
【請求項８】
請求項１に記載の引戸装置において、前記壁の内部に収納されている前記戸袋対応部は、この壁から露出しかつ開閉自在となっているカバーで覆われており、このカバーを開くことによって前記戸袋対応部が前記壁から露出することを特徴とする引戸装置。
【請求項９】
請求項８に記載の引戸装置において、前記移動装置は、前記戸袋対応部と、前記引戸本体で開閉される開口部と対応する位置に配置された開口部対応部とを有し、前記カバーはこれらの戸袋対応部と開口部対応部の両方に跨ってこれらを覆うものとなっていることを特徴とする引戸装置。
【発明の詳細な説明】
【０００１】
【発明の属する技術分野】
本発明は、出入口等の開口部を引戸本体が開閉する引戸装置に係り、例えば、引戸本体が上方のガイド部材から吊り下げられて移動する上吊り式の引戸装置等に利用できるものである。
【０００２】
【背景技術】
建物内の部屋と廊下を仕切るためや、部屋同士等を仕切るために上吊り式の引戸装置が用いられ、この上吊り式の引戸装置では、無目の内部に配置されたガイドレールから引戸本体が吊り下げられ、ガイド部材になっているこのガイドレールに案内されて引戸本体が移動することにより出入口等の開口部が開閉され、引戸本体は戸袋に収納される。また、この上吊り式引戸装置において、無目の内部に配置されているガイドレール等により、引戸本体を移動させるための移動装置が構成され、引戸本体の移動を自動的に行わせるための駆動装置等が用いられているタイプの引戸装置では、この駆動装置等を含めて移動装置が構成される。
【０００３】
また、上吊り式引戸装置には、戸袋を壁の内部に収納した壁収納型があり、この壁収納型の上吊り式引戸装置における前記移動装置のうち、戸袋の上部、すなわち、戸袋と対応する位置に配置された部分は、戸袋と同じく、壁の内部に収納される。
【０００４】
【発明が解決しようとする課題】
引戸本体を移動させるための移動装置は、引戸本体の円滑かつ軽快な移動を確保するために比較的精密で高精度の部品で形成されている。
【０００５】
このため、前述のように移動装置のうちの戸袋と対応する位置に配置された部分が壁の内部に配置されている場合であっても、この部分についての保守点検作業や部品交換作業、清掃作業等の各種作業を行えるようにすることが望まれる。
【０００６】
本発明の目的は、引戸本体を移動させるための移動装置に壁の内部に収納される部分があっても、この部分についての保守点検作業等の各種作業を行えるようになる引戸装置を提供するところにある。
【０００７】
【課題を解決するための手段】
本発明に係る引戸装置は、引戸本体と、この引戸本体が収納される戸袋と、少なくとも一部がこの戸袋と対応する位置に配置された戸袋対応部となっていて、前記引戸本体を移動させるための移動装置とを有し、前記戸袋と前記戸袋対応部とが壁の内部に収納されている引戸装置において、前記戸袋対応部が前記壁から露出自在となっていることを特徴とするものである。
【０００８】
この引戸装置では、引戸本体を移動させるための移動装置のうち、戸袋と対応する位置に配置されていて壁の内部に収納されている戸袋対応部は、壁から露出自在となっているため、この戸袋対応部を壁から露出させることにより、この戸袋対応部についての保守点検作業や部品交換作業、さらには清掃作業等の各種作業を行える。
【０００９】
この引戸装置において、移動装置のうちの壁の内部に収納されている戸袋対応部を壁から露出自在とするための手段は任意であり、その一例は、戸袋対応部が壁の外面を形成している外面形成部材で覆われている場合には、この外面形成部材を取り外し自在とし、この取り外しを行うことにより、戸袋対応部を壁から露出させることである。
【００１０】
この外面形成部材は、戸袋と、移動装置のうちの戸袋対応部との両方に跨ってこれらを覆うものであってもよく、あるいは、戸袋を覆う大面積外面形成部材と、戸袋対応部を覆う小面積外面形成部材とからなるものでもよい。
【００１１】
後者においては、戸袋対応部を覆う小面積外面形成部材を取り外し自在とすることが好ましい。
【００１２】
このようにすると、戸袋対応部についての保守点検作業等の各種作業を行う場合には、戸袋を覆う大面積外面形成部材をそのままとし、戸袋対応部を覆う小面積外面形成部材のみを取り外すだけで戸袋対応部についての作業を行えるため、そのために必要な作業の容易化を達成できる。
【００１３】
また、戸袋対応部が内部に収納されている壁が、下地部材と、この下地部材を覆いかつこの下地部材に取り付けられた外面形成部材を含んで形成されている場合には、これらの下地部材と外面形成部材とを取り外し自在とし、この取り外しにより戸袋対応部を壁から露出させるようにしてもよい。
【００１４】
この場合において、下地部材と外面形成部材は共に、戸袋と、移動装置のうちの戸袋対応部との両方に跨ってこれらを覆うものであってもよく、あるいは、外面形成部材が、戸袋を覆う大面積外面形成部材と、戸袋対応部を覆う小面積外面形成部材とからなるとともに、下地部材が、この小面積外面形成部材と対応する位置に配置された下地部材を含めて互いに分離して配置された複数個あってもよい。
【００１５】
後者においては、小面積外面形成部材と、この小面積外面形成部材と対応する位置に配置された下地部材とを取り外し自在とすることが好ましい。
【００１６】
このようにすると、戸袋対応部についての保守点検作業等の各種作業を行う場合において、小面積外面形成部材と、この小面積外面形成部材と対応する位置に配置された下地部材のみを取り外せばよく、他の外面形成部材及び下地部材はそのままにしておくことができるため、作業の容易化を達成できる。
【００１７】
このように、外面形成部材を、戸袋を覆う大面積外面形成部材と、戸袋対応部を覆う小面積外面形成部材とからなるものとするとともに、下地部材を、この小面積外面形成部材と対応する位置に配置された下地部材を含めて互いに分離して配置された複数個とし、かつ、小面積外面形成部材と、この小面積外面形成部材と対応する位置に配置された下地部材のみを取り外し自在とする場合には、小面積外面形成部材と、この小面積外面形成部材と対応する位置に配置された下地部材は、必ずしも前記戸袋対応部の形状と対応する形状になっていなくてもよいが、これらの小面積外面形成部材と下地部材の両方を、戸袋対応部の形状と対応する細長形状にすることがより好ましい。
【００１８】
このようにすると、小面積外面形成部材と下地部材の両方を取り外すことにより、前記移動装置のうち、壁の内部に収納された戸袋対応部の全体又は略全体を壁から露出させることができることになり、この結果、戸袋対応部について行う作業を容易に行えるようになる。
【００１９】
また、本発明に係る引戸装置において、壁の内部に収納されている戸袋対応部がこの壁から露出しかつ開閉自在となっているカバーで覆われている場合には、このカバーを開くことによって戸袋対応部を壁から露出させるようにしてもよい。
【００２０】
これによると、カバーを開くことによって戸袋対応部が壁から露出することになり、保守点検作業等の各種作業を行えることになる。
【００２１】
また、引戸本体を移動させるための移動装置が、戸袋対応部だけではなく、この戸袋対応部と、引戸本体で開閉される開口部と対応する位置に配置された開口部対応部とを有するものになっている場合には、これらの戸袋対応部と開口部対応部ごとにカバーを設け、これらのカバーを開閉自在としてもよく、あるいは、これらの戸袋対応部と開口部対応部の両方に跨ってこれらを覆う１個のカバーを設け、このカバーを開閉自在としてもよい。
【００２２】
後者によると、１個のカバーを開くことにより、移動装置の戸袋対応部と開口部対応部の両方を同時に露出させることができ、移動装置のより長い範囲に亘って保守点検作業等の各種作業を容易に行えるようになる。
【００２３】
また、後者において、前記戸袋と前記開口部との間に竪額縁等による戸袋の開口部側の見切り材が設けられている場合には、この見切り材がカバーを開いたときに露出する空間部内まで延びていてもよく、あるいは、この空間部の手前まで延び、引戸本体の移動方向に延びている補強部材等に見切り材の端部が結合され、カバーを開いたときには戸袋対応部から開口部対応部まで連続する空間部が現われるようになっていてもよい。
【００２４】
なお、以上でいうカバーを開閉自在とするとは、カバーを取り付け、取り外し自在とすることや、カバーをヒンジ等の回動中心部材を中心に回動自在とすること、さらには、カバーをスライド移動自在とすることを含み、カバーで覆われていた戸袋対応部等を露出させることができる全部の形態をいう。
【００２５】
また、壁から露出しているカバーとは、カバーの位置が壁の表面位置から突出していることと、カバーの位置が壁の表面位置と一致していることと、カバーの位置が壁の表面位置から後退していることの全部を含み、カバーが壁材で隠されていなければよい。
【００２６】
また、前述したように、戸袋対応部と開口部対応部の両方に跨ってこれらを覆う１個のカバーを設け、このカバーを開閉自在とする場合には、カバーの全部を壁から露出させるのではなく、カバーのうち、戸袋対応部を覆う部分の外側に外面形成部材を配置することにより、この部分を壁の内部に収納するようにしてもよい。このようにする場合には、カバーのうちの戸袋対応部を覆う部分の外側に配置される外面形成部材の戸袋厚さ方向の位置を他の外面形成部材の位置と一致又は略一致させ、外観上、外面形成部材の並設で形成される壁の連続性が確保されているようにすることが好ましい。
【００２７】
なお、このようにカバーの外側に外面形成部材を配置することは、前記１個のカバーの全部について行ってもよい。
【００２８】
以上の本発明は、引戸本体を移動させるための移動装置のうち、引戸本体の移動を案内するガイドレールやスライディングレール等によるガイド部材が引戸本体の上方に配置され、このガイド部材から引戸本体が吊り下げられている上吊り式の引戸装置と、ガイド部材が引戸本体の下方に配置され、引戸本体がこのガイド部材に載せられた通常の引戸装置と、ガイド部材が引戸本体の上方と下方の両方に配置された引戸装置とに適用できる。
【００２９】
また、これらの引戸装置において、ガイド部材に案内される引戸本体の移動は、人手操作又は傾斜配置されたガイド部材による引戸本体の自重で行われてもよく、また、引戸本体の閉じ移動と開き移動のうちの少なくとも一方が駆動装置により自動的に行われてもよい。
【００３０】
すなわち、引戸本体を移動させるための前記移動装置は、ガイド部材が主要部材の一つとなっているものでもよく、このガイド部材と、引戸本体を閉じ側と開き側のうちの少なくとも一方へ自動的に移動させるための駆動装置とが主要部材の一つとなっているものでもよい。
【００３１】
なお、前記移動装置を構成するものであって、ここでいう主要部材に含まれない付属部材又は付属装置等には、引戸本体を任意な位置で停止させることができるフリーストップ装置や、全開位置に達した引戸本体をその位置で停止させるための全開位置停止装置等がある
さらに、駆動装置の駆動原理は任意なものでよく、例えば、蓄圧されたばね力によって引戸本体を引っ張り移動させる渦巻きばね式のものでもよく、シリンダで引戸本体を移動させるシリンダ式のものでもよく、モータで回転するピニオンやベルトで引戸本体を移動させるモータ式のものでもよく、電磁石の吸引力、反発力で引戸本体を移動させるリニアモータ式のもの等でもよい。
【００３２】
また、移動装置に、引戸本体が閉じ限位置等に近づいたときにその移動速度を減速させるための制動装置を設ける場合には、この制動装置の制動原理は任意なものでよく、例えば、流体が圧縮されることにより引戸本体の移動を制動させる流体圧縮式のものでもよく、流体を攪拌することにより引戸本体の移動を制動させる流体攪拌式のものでもよく、電磁石を含む磁石の反発力を利用したマグネット式のもの等でもよい。
【００３３】
さらに、本発明が適用される引戸装置は、引戸本体が１個のものでもよく、複数個のものでもよい。引戸装置が複数個の引戸本体を備えている場合において、これらの引戸本体は引き分け式となっていてもよく、引き違い式になっていてもよく、これら両方が組み合わせられたものでもよい。
【００３４】
本発明が複数個の引戸本体を備えた引戸装置に適用される場合には、本発明における戸袋は、１個又は複数個の引戸本体を収納するためのものでよい。
【００３５】
また、戸袋が、前述したように、下地部材と、この下地部材を覆いかつこの下地部材に取り付けられた外面形成部材とを含んで形成されている場合において、下地部材は、戸袋の内側と外側のうちの少なくとも一方へ屈曲した屈曲部が形成された屈曲部付き部材でもよく、全体が平坦となった平板部材でもよい。
【００３６】
また、下地部材を、前述したように、移動装置の戸袋対応部と対応する細長形状とする場合には、その下地部材は中空材によるものでもよく、中実材によるものでもよい。さらに、下地部材を屈曲部付きの細長形状とする場合には、その下地部材は、アングル材、チャンネル材（リップ付きとリップ無しの両方を含む）、Ｉ型材、Ｈ型材、Ｔ型材のいずれでもよく、また、長さ方向と直角をなす幅方向の途中部に戸袋の内側と外側のうちの少なくとも一方へ屈曲突出した屈曲突出部を有しているものでもよい。
【００３７】
さらに、以上の本発明において、引戸本体が収納される通常の戸袋は、引戸本体の両方の面を覆う部分を有する袋状のものであるが、本発明に係る戸袋はこれに限定されず、引戸本体の一方の面だけを覆う部分を有し、引戸本体の他方の面が露出する片面式の戸袋でもよい。
【００３８】
戸袋がこのような片面式の戸袋である場合においては、壁の内部に収納される前記戸袋対応部をこれまで説明した種々の方式でこの壁から露出させる箇所は、片面式の戸袋で覆われる引戸本体の一方の面と同じ側の箇所でもよく、これとは反対側の箇所でもよい。そして、前述したように、戸袋対応部と開口部対応部ごとにカバーを設け、これらのカバーを開閉自在とする場合、及びこれらの戸袋対応部と開口部対応部の両方に跨ってこれらを覆う１個のカバーを設け、このカバーを開閉自在とする場合においても、カバーを設ける箇所は、片面式の戸袋で覆われる引戸本体の一方の面と同じ側の箇所でもよく、これとは反対側の箇所でもよい。
【００３９】
【発明の実施の形態】
以下に本発明の実施形態を図面に基づいて説明する。初めに、本実施形態に係る引戸装置の全体を説明する。
【００４０】
図１は、本実施形態に係る引戸装置の全体を示す正面図である。この引戸装置は、建物内の廊下と部屋との間を開閉自在に仕切るための室内用仕切り手段として設置され、引戸本体１は把持部１Ａを把持することにより左右動させることができ、左右動すると引戸本体１は、無目２と引戸本体戸先側の縦枠３と壁４と床５とに囲まれて形成されている出入口用の開口部６を開閉し、この開口部６を開いたときの引戸本体１の大部分は壁４の内部に形成されている戸袋７に収納される。すなわち、本実施形態に係る引戸装置は、開口部６を開いたときの引戸本体１が収納される戸袋７が壁４の内部に設けられている壁収納型の引戸装置になっている。
【００４１】
また、引戸装置の外枠組み体の基本構造は、無目２と、引戸本体戸先側の縦枠３と、引戸本体戸尻側の縦枠８とで形成され、この引戸本体戸尻側の縦枠８により戸袋７の終端部が形成されている。
【００４２】
無目２は、無目本体２Ａと、この無目本体２Ａに設けられた点検用カバー２Ｂとからなり、点検用カバー２Ｂは、この無目本体２Ａに設けられているねじ孔に螺合される止めねじ等の止め具２Ｃで取り付け、取り外し自在になっており、したがって、無目本体２Ａに対して点検用カバー２Ｂは開閉自在となっている。無目本体２Ａは、図１のＳ５―Ｓ５線断面図である図５に示されているように、戸袋７まで延びる長さを有し、点検用カバー２Ｂは、無目本体２Ａの全長のうち、開口部６の上方に位置する部分だけに設けられている。
【００４３】
無目２の内部には、引戸本体１を移動させるための移動装置Ａが配置されており、この移動装置Ａは、開口部６と、開口部６に隣接して設けられている戸袋７とに跨っている。
【００４４】
このため、移動装置Ａは、開口部６と対応した位置に配置された開口部対応部Ａ１と、戸袋７と対応した位置に配置された戸袋対応部Ａ２とからなり、戸袋対応部Ａ２は、戸袋７と同じく、引戸本体１の一方の面の側と他方の面の側の両方において壁４の内部に収納されている。
【００４５】
図２及び図３には、移動装置Ａの全体詳細図が示されている。図２は、この移動装置Ａによって引戸本体１が閉じ限位置に達しているときを示し、図３は、引戸本体１が開き限位置に達しているときを示す。
【００４６】
図２に示すように、無目本体２Ａの内部には引戸本体１の移動を案内するためのガイド部材であるガイドレール１０が組み込まれ、上記移動装置Ａを形成する部材であって、無目本体２Ａの略全長に亘る長さを有するこのガイドレール１０は、図１のＳ４―Ｓ４線断面図である図４に示すとおり、無目本体２Ａの内部に設けられている取付部材１１に取り付けられ、戸袋７の内部まで延びている。同一断面形状が長さ方向に連続しているこのガイドレール１０は、取付部材１１に取り付けられた基部１０Ａと、この基部１０Ａの下端から引戸本体１の厚さ方向に水平に延びるアーム部１０Ｂと、このアーム部１０Ｂの先端から垂直に立ち上がった係合部１０Ｃとを有する。
【００４７】
図２で示すように、引戸本体１には、ローラブラケット１３，１４に回転自在に取り付けられた２個のローラ１５，１６が引戸本体１の移動方向に配設され、ローラブラケット１３，１４を介して引戸本体１の上部に配置されているこれらのローラ１５，１６は、図４に示すように、引戸本体１の上方に不動部材となって水平に架設されているガイドレール１０の係合部１０Ｃに係合している。このため、引戸本体１は、ローラ１５，１６が係合部１０Ｃ上を転動することによりガイドレール１０に沿って移動するとともに、引戸本体１は、ガイドレール１０の係合部１０Ｃにローラ１５，１６及びローラブラケット１３，１４を介して吊り下げられた上吊り式となっている。
【００４８】
また、図１に示すように、戸袋７に近い開口部６の床５には、垂直軸を中心に回転自在となったガイドローラ１７が配置され、このガイドローラ１７は、図４に示すとおり、引戸本体１の下端に下向きに開口して配置されているチャンネル部材１Ｂの内部に挿入されており、ガイドレール１０に沿った引戸本体１の移動は、引戸本体１の下端がこのガイドローラ１７で案内されながらなされる。
【００４９】
図２に示されているように、ガイドレール１０の引戸本体開き側の端部には、引戸本体１を開き限位置に停止させるためのストップ装置２０が取り付けられ、このストップ装置２０は、引戸本体閉じ側に向けて本体２１に突設されたゴム等の弾性材料からなるストップ部材２２と、本体２１に取り付けられた小径ローラによる被係止部材２３とを有する。一方、引戸本体１に設けられている２個のローラブラケット１３，１４のうち、引戸本体開き側のローラブラケット１４の後端には板状の受け部材２４が結合され、この受け部材２４には板ばねの折り曲げで形成されている係止部材２５が取り付けられている。
【００５０】
引戸本体１を前記把持部１Ａで開き側に移動させ、この移動が開き限位置に達すると、図３に示されているように、被係止部材２３には、一旦上向きに湾曲変形してもとの形状に弾性復帰する係止部材２５が係止するとともに、受け部材２４はストップ部材２２に当接し、これにより引戸本体１は開き限位置に停止する。
【００５１】
また、引戸本体１の把持部１Ａに引戸本体閉じ側への操作力を作用させた場合には、被係止部材２３から上向きに弾性変形する係止部材２５が離脱するため、引戸本体１はガイドレール１０とガイドローラ１７に案内されて閉じ側へ移動する。
【００５２】
また、図２及び図３に示されているように、引戸本体１に設けられている２個のローラブラケット１３，１４のうち、引戸本体閉じ側のローラブラケット１３には、引戸本体１を閉じ移動させるための駆動装置３０のケーシング３０Ａがブラケット３１で取り付けられている。駆動装置３０はケーシング３０Ａ内に回転自在に収納されたリール３３を有し、このリール３３の内部には渦巻きばねが配置され、この渦巻きばねの一端はリール３３に結合されているとともに、他端はケーシング３０Ａに結合されている。
【００５３】
また、リール３３には、図２及び図３で示されているナイロン紐又はワイヤー等からなる紐状部材３４が巻かれているとともに、この紐状部材３４の一端が結合されている。この紐状部材３４はケーシング３０Ａから導出され、紐状部材３４の他端は、不動部材であって前述した外枠組み体を形成している縦枠３に設けられたフック部材３５に係止されている。
【００５４】
図２で示すように閉じ限位置に達している引戸本体１を把持部１Ａで図３に示すように開き側へ移動させたときには、紐状部材３４がリール３３を回転させながら駆動装置３０のケーシング３０Ａから繰り出され、このとき、リール３３の内部の上記渦巻きばねがリール３３の回転で蓄圧されるようになっている。このため、この後に把持部１Ａから手を離すと（引戸本体１が図３のように閉じ限位置に達しているときには、前述のように、把持部１Ａに操作力を作用させて被係止部材２３から係止部材２５を離脱させると）、渦巻きばねの蓄圧力によってリール３３には、引戸本体１の開き移動時とは逆方向へ引戸本体１を移動させようとする回転力が生じているため、この回転力で緊張している紐状部材３４の引張力によって引戸本体１は閉じ側へ引っ張られ、リール３３が回転して紐状部材３４を巻き取ることにより、引戸本体１は閉じ限位置まで自動的に移動する。
【００５５】
したがって、本実施形態における引戸本体１を閉じ側へ自動的に移動させるための駆動装置３０は渦巻きばね式であるとともに、紐状部材３４の引張力による引張式駆動装置となっている。
【００５６】
図２及び図３に示すように、ガイドレール１０には、閉じ側への引戸本体１の移動速度を低速化させて制動させ、引戸本体１を閉じ限位置に減速させて到達させるための制動装置４０が取り付けられている。この制動装置４０は、シリンダ本体４１と、シリンダ本体４１にガイドレール１０の長さ方向に伸縮自在に挿入されたピストンロッド４２とを有するシリンダ装置で構成され、シリンダ本体４１は、不動部材となっているガイドレール１０に取り付けられている。
【００５７】
図２及び図３で示すように、引戸本体１に２個設けられているローラブラケット１３，１４のうち、引戸本体開き側のローラブラケット１４には、ピストンロッド４２の先端部が挿抜自在となったキャッチ部材４４が取り付けられ、ピストンロッド４２の先端部と、この先端部が挿入されるキャッチ部材４４の内部とのうち、一方には磁石が設けられ、他方にはこの磁石に吸着する磁性材料が設けられている。このため、ピストンロッド４２とキャッチ部材４４とは、磁力で接続分離自在となっている。
【００５８】
図２に示すように引戸本体１が閉じ限位置に達しているときには、シリンダ本体４１に対して収縮しているピストンロッド４２の先端部がキャッチ部材４４の内部に挿入された状態になっており、引戸本体１を開き側へ移動させると、ピストンロッド４２の先端部とキャッチ部材４４とが上記磁力で接続されているため、ピストンロッド４２はシリンダ本体４１に対して伸び作動する。このピストンロッド４２が伸び作動限に達してもさらに引戸本体１が開き側に移動すると、図３に示すように、ピストンロッド４２とキャッチ部材４４とが分離し、ピストンロッド４２はその位置で停止する。また、引戸本体１が前記引張式駆動装置３０の駆動力で閉じ側へ移動し始め、そして引戸本体１が所定位置に達すると、キャッチ部材４４はピストンロッド４２に当接してこれらのキャッチ部材４４とピストンロッド４２とが上記磁力で再度接続され、引戸本体１がさらに閉じ側へ移動することにより、ピストンロッド４２はシリンダ本体４１に対して収縮作動する。
【００５９】
なお、ピストンロッド４２の先端部と、この先端部が挿入されるキャッチ部材４４の内部とに互いに磁性が逆となった磁石を設けることにより、ピストンロッド４２とキャッチ部材４４とを上記と同様に接続分離自在としてよい。
【００６０】
シリンダ本体４１には、ピストンロッド４２が伸び作動したときに多量のエアをシリンダ本体４１の内部に吸引し、ピストンロッド４２が収縮作動したときにはこのエアを絞りながら排出するバルブが設けられている。このため、ピストンロッド４２が伸び作動する引戸本体１の開き移動時には、引戸本体１を軽く移動させることができ、また、ピストンロッド４２が収縮作動する引戸本体１の閉じ移動時には、引戸本体１がシリンダ本体４１の内部のエア圧力によって制動されながら移動し、減速された速度で閉じ限位置に達するようになっている。
【００６１】
以上において、前記ストップ装置２０と制動装置４０はガイドレール１０に取り付けられ、このガイドレール１０は、前記移動装置Ａにおける開口部対応部Ａ１と戸袋対応部Ａ２の両方に跨るものになっているため、これら両方Ａ１，Ａ２を構成するものとなっており、これに対してストップ装置２０は戸袋対応部Ａ２を構成し、制動装置４０は開口部対応部Ａ１を構成するものとなっている。
【００６２】
また、引戸本体１に取り付けられている駆動装置３０は、引戸本体１が開口部６の位置にあるときには開口部対応部Ａ１を構成しており、引戸本体１が戸袋７の位置にあるときには戸袋対応部Ａ２を構成している。
【００６３】
図１で示すように、戸袋７の箇所には、横方向（戸袋７の幅方向であって、引戸本体１の移動方向）に細長い下地部材５０が配置され、細長形状の部材となっているこの下地部材５０は、上下方向に間隔を開けて複数設けられている。これらの下地部材５０は、戸袋７の幅方向両端部まで達する同じ長さを有しているが、本実施形態に係る戸袋７には、図５に示されているように、上下寸法が異なる４種類の下地部材５０Ａ，５０Ｂ，５０Ｃ，５０Ｄが用いられている。
【００６４】
すなわち、戸袋７の両方の面において、言い換えると、引戸本体１の一方の面と他方の面と対向する両方の面において、最下段の下地部材５０は上下寸法が最も大きい下地部材５０Ａであり、最下段から２段目と３段目の下地部材５０は上下寸法が最も小さい下地部材５０Ｄである。下地部材５０Ａ同士、最下段から２段目の下地部材５０Ｄ同士、最下段から３段目の下地部材５０Ｄ同士は、それぞれ同じ高さ位置に配置されている。図５における右側の最上段の下地部材５０、言い換えると、図１で示された側の最上段の下地部材５０は、上下寸法が３番目に大きい下地部材５０Ｃであり、図５における左側の最上段の下地部材５０は、上下寸法が２番目に大きい下地部材５０Ｂである。
【００６５】
これらの下地部材５０は金属板の折り曲げで形成されており、下地部材５０の全体斜視図である図９で示すとおり、長さ方向と直角をなす幅方向の途中部、すなわち、上下方向の途中部には、下地部材５０の厚さ方向に屈曲突出しかつ下地部材５０の長さ方向へ連続して延びている屈曲突出部５１が形成されており、この突出方向は戸袋７の外側である。このように、それぞれの下地部材５０は戸袋７の外側へ屈曲した部分を有する屈曲部付き部材となっており、これらの下地部材５０は、上下の幅狭のフランジ部５２から屈曲突出部５１の屈曲部５１Ａが直角又は略直角に折り曲げられたものとなっている。
【００６６】
図１のＳ８−Ｓ８線断面図である図８に示すように、戸袋７の引戸本体閉じ側端部には見切り材としての竪額縁９が設けられ、この竪額縁９には戸袋７の内側において引戸本体開き側へ延びる延出部９Ａが設けられている。また、竪額縁９には補助部材５３が取り付けられ、アングル材からなるこの補助部材５３には、戸袋７の内外方向への間隔を開けて延出部９Ａと平行に引戸本体開き側へ延びる延出部５３Ａが設けられている。これらの延出部９Ａと５３Ａとの間にそれぞれの下地部材５０の一方の端部が挿入され、これらの端部はドリルねじ等の止着具５４で補助部材５３に止められており、また、それぞれの下地部材５０の他方の端部は前述した戸尻側の縦枠８にドリルねじ等の止着具５４で止められている。
【００６７】
図５に示すように、内部が戸袋７となっている壁４の一方の側と他方の側の外面は、戸袋７の内外方向（壁４の厚さ方向）に重ねられた内外２枚の外面形成部材５５，５６で形成され、石膏ボード製であるこれらの外面形成部材５５，５６のうち、内側の外面形成部材５５は、上下に間隔を開けて平行に配設されている下地部材５０同士の間に複数組み込まれている。これらの外面形成部材５５の厚さは下地部材５０の図９で示した屈曲部５１Ａの戸袋内外方向の幅寸法と対応しており、下地部材５０同士の間に配置されているそれぞれの外面形成部材５５は、上下端部が下地部材５０のフランジ部５２に押し当てられている。図９に示すとおり、これらのフランジ部５２には両面粘着テープ５７が予め取り付けられているため、外面形成部材５５はこれらの両面粘着テープ５７で下地部材５０に固定されている。
【００６８】
但し、フランジ部５２に両面粘着テープ５７が取り付けられている下地部材５０は、図５で示されている下地部材５０Ａ〜５０Ｄのうちの下地部材５０Ａ，５０Ｂ，５０Ｄであり、下地部材５０Ｃのフランジ部５２に両面粘着テープ５７は取り付けられていない。
【００６９】
図７は図５の一部拡大図であり、最下段の下地部材５０Ａにおける両方のフランジ部５２に、この下地部材５０Ａの上下に配置されている外面形成部材５５が図９で示された両面粘着テープ５７で固定されており、下地部材５０Ｂ，５０Ｄについても、これと同様に、上下に配置されている外面形成部材５５がフランジ部５２に両面粘着テープ５７で固定されている。
【００７０】
また、それぞれの外面形成部材５５の前記開口部６側の端部は、図８で示した竪額縁９の延出部９Ａと補助部材５３の延出部５３Ａとの間に挿入されている。
【００７１】
図６は図５で示された戸袋７の下部の拡大図であり、戸袋７の下部には内外二重の幅木５８，５９が配置され、内側の幅木５８の両端立上部５８Ａと外側の幅木５９の両端立上部５９Ａとの間に最下段の外面形成部材５５の下端部が挿入されている。
【００７２】
以上のように配置された内側の外面形成部材５５の外側に、図１の表裏両側において外面形成部材５６が配置されている。下地部材５０をも覆っているこの外側の外面形成部材５６のうち、図１で示されている側の外面形成部材５６は、戸袋７の全体を覆う大面積外面形成部材５６Ａと、前記移動装置Ａのうちの戸袋６の上方に配置されている戸袋対応部Ａ２を覆っている小面積外面形成部材５６Ｂとからなり、大面積外面形成部材５６Ａは、下地部材５０の屈曲突出部５１、補助部材５３の延出部５３Ａ、外側の幅木５９の両端立上部５９Ａにステープル等の止着具で結合されている。
【００７３】
そして、小面積外面形成部材５６Ｂは、下地部材５０Ａ〜５０Ｄのうち、戸袋対応部Ａ２の位置に配置された下地部材５０Ｃと対応する形状、寸法となっており、下地部材５０Ｃは、戸袋対応部Ａ２と略同じになった横方向の寸法及び上下方向の寸法を有する細長形状であるため、小面積外面形成部材５６Ｂも、戸袋対応部Ａ２と対応する形状、寸法となっている。
【００７４】
図１０は、図１における小面積外面形成部材５６と前記竪額縁９の周辺の拡大図であり、図１１は、図１０のＳ１１−Ｓ１１線断面図である。
【００７５】
図１１に示すとおり、下地部材５０Ｃ側の側面が開口している前記無目本体２Ａの上面には、下向きに開口しているコ字状の取付部材６０が固定され、図１０で示すように横方向の寸法が小さいこの取付部材６０は、竪額縁９に近い位置に配置されている。取付部材６０には、図８でも示されている前記補助部材５３の延出部５３Ａの上端が止着具６１で取り付けられ、上下方向に延びているこの延出部５３Ａに、図８で説明したように、下地部材５０Ｃの竪額縁９側の端部が止着具５４で固定され、これとは反対側の下地部材５０Ｃの端部は、図８で示されている引戸本体開き側の縦枠８に止着具５４で固定されている。
【００７６】
小面積外面形成部材５６Ｂは、図１１に示すように、下地部材５０Ｃの外側であって延出部５３Ａの外側に配置され、この小面積外面形成部材５６Ｂは、止着具６２で下地部材５０Ｃに固定されている。
【００７７】
これにより、前記移動装置Ａのうちの戸袋対応部Ａ２は、前述したように、引戸本体１の一方の面の側と他方の面の側の両方において壁４の内部に収納されている。また、図４に示されているように、移動装置Ａのうちの開口部対応部Ａ１も壁４の内部に収納されているが、この開口部対応部Ａ１の一方の側面は、壁４から露出している無目２の点検用カバー２Ｂで覆われている。
【００７８】
以上の大面積外面形成部材５６Ａの表面及び小面積外面形成部材５６Ｂの表面には、個別にビニルクロス等の化粧部材が被せられ、これにより、戸袋７と、移動装置Ａの戸袋対応部Ａ２とが内部に収納されている前記壁４の表面が仕上げられている。
【００７９】
以上において、前記移動装置Ａのうち、図１で示した開口部６と対応する位置の開口部対応部Ａ１について保守点検作業等を行う場合には、止め具２Ｃの取り外しで点検用カバー２Ｂを無目本体２Ａから取り外すことにより、開口部対応部Ａ１を構成している各部材を露出させ、必要な作業を行う。
【００８０】
また、移動装置Ａのうち、壁４の内部に収納されている戸袋対応部Ａ２について保守点検作業等を行う場合には、小面積外面形成部材５６Ｂの表面に被せられている化粧部材を剥がすとともに、この小面積外面形成部材５６Ｂを止着具６２の抜き取りで下地部材５０Ｃから分離させ、また、下地部材５０Ｃの両端部を補助部材５３の延出部５３Ａと縦枠８とに固定していた止着具５４を抜き取ることにより、下地部材５０Ｃをこれらの延出部５３Ａと縦枠８から自由状態とする。
【００８１】
なお、小面積外面形成部材５６Ｂを下地部材５０Ｃに固定するための手段を止着具６２とせず、この固定手段をベルクロ、磁石、吸盤等による手段とすることにより、小面積外面形成部材５６Ｂを下地部材５０Ｃから容易に取り外せるようにしてもよく、この固定手段は、ワンタッチ操作で小面積外面形成部材５６Ｂを下地部材５０Ｃから分離できる機構的手段でもよい。
【００８２】
この後、下地部材５０Ｃの縦枠８側の端部を戸袋７の外側へ引き出して下地部材５０Ｃを傾斜させ、この状態で下地部材５０Ｃ全体を縦枠８側へスライドさせることにより、下地部材５０Ｃの竪額縁９側の端部を図８で示されている竪額縁９の延出部９Ａと補助部材５３の延出部５３Ａとの間から抜き取り、下地部材５０Ｃ全体を取り出す。図１２は、このときの状態を示す図１０のＳ１２−Ｓ１２線断面図である。
【００８３】
なお、このとき、下地部材５０Ｃのフランジ部５２には、前述したとおり、両面粘着テープ５７は取り付けられていないため、下地部材５０Ｃの下側に配置されている前記内側の外面形成部材５５は下地部材５０Ｃに結合されておらず、したがって、下地部材５０Ｃの取り出しを支障なく行える。
【００８４】
これにより、戸袋対応部Ａ２における小面積外面形成部材５６Ｂ側の一方の側面は、壁４から露出することになり、そして、この戸袋対応部Ａ２についての必要な作業を行う。
【００８５】
戸袋対応部Ａ２についての必要な作業を終了した後は、以上と逆の作業を行うことにより、戸袋対応部Ａ２は、再び壁４の内部に収納されることになる。
【００８６】
以上説明したように、引戸本体１を移動させるための移動装置Ａのうちの戸袋対応部Ａ２が、戸袋７と同じく、壁４に内部に収納されていても、この戸袋対応部Ａ２は壁４から露出自在となっているため、この戸袋対応部Ａ２について、保守点検作業や部品交換作業、さらには清掃作業等の各種作業を行える。
【００８７】
また、戸袋７及び戸袋対応部Ａ２が内部に収納されている壁４の外面を形成する外面形成部材５６は、戸袋７を覆う大面積外面形成部材５６Ａと、戸袋対応部Ａ２を覆う小面積外面形成部材５６Ｂとからなるため、戸袋対応部Ａ２についての作業は、小面積外面形成部材５６Ｂのみを取り外すことにより行え、このため、作業の容易化を達成できる。
【００８８】
また、外面形成部材５６が取り付けられている下地部材５０は、小面積外面形成部材５６Ｂと対応する位置に配置された下地部材５０Ｃを含む互いに分離配置された複数の部材５０Ａ〜５０Ｄからなるため、戸袋対応部Ａ２についての作業を行うときは、小面積外面形成部材５６Ｂと対応する位置に配置された下地部材５０Ｃのみを取り外せばよく、この点でも作業の容易化を達成できる。
【００８９】
さらに、これらの小面積外面形成部材５６Ｂ及び下地部材５０Ｃは、戸袋対応部Ａ２と対応する形状である細長形状になっているため、これらの小面積外面形成部材５６Ｂ及び下地部材５０Ｃを取り除くと、戸袋対応部Ａ２の全体又は略全体が壁４から露出することになり、その露出面積は大きいため、戸袋対応部Ａ２についての保守点検作業等を行うための作業空間を充分大きくすることができる。
【００９０】
図１３は、別実施形態に係る引戸装置を示し、図１４は、図１３のＳ１４−Ｓ１４線断面図である。
【００９１】
この実施形態における引戸装置の引戸本体１０１も、開口部１０６を開くと戸袋１０７に収納され、この戸袋１０７は壁１０４の内部に設けられている。また、上吊り式の引戸本体１０１を移動させるために無目１０２の本体１０２Ａの内部に配置されているガイドレール１１０（図１４参照）等からなる移動装置Ｂは、前記実施形態と同じく、開口部１０６及び戸袋１０７の上部に配置されており、また、この移動装置Ｂは、開口部１０６と対応する位置に配置された開口部対応部Ｂ１と、戸袋１０７と対応する位置に配置された戸袋対応部Ｂ２とからなる。
【００９２】
これらの開口部対応部Ｂ１と戸袋対応部Ｂ２は、開口部対応部Ｂ１について示す図１４のとおり、壁１０４の内部に収納されているが、これらの一方の側面は、無目１０２における壁１０４から露出している開閉自在な点検用カバー１０２Ｂで覆われている。図１３に示すように、この点検用カバー１０２Ｂは移動装置Ｂの全長に亘る横方向の長さを有し、したがって、開口部対応部Ｂ１から戸袋対応部Ｂ２までの一方の側面を連続して覆っており、この状態において、開口部対応部Ｂ１と戸袋対応部Ｂ２は壁１０４の内部に配置されている。
【００９３】
また、図１４で示されているとおり、点検用カバー１０２Ｂの上端フック部１０２Ｃが無目本体１０２Ａに固定されている係止部材１０２Ｄに係止されているとともに、図１３で示されているように、点検用カバー１０２Ｂは両端の止め具１０２Ｅで無目本体１０２Ａに取り付けられている。このため、止め具１０２Ｅを取り外し、フック部１０２Ｃを係止部材１０２Ｄから外すと、点検用カバー１０２Ｂを無目本体１０２Ａから取り外すことができ、これにより、開口部対応部Ｂ１と戸袋対応部Ｂ２を壁１０４から露出させることができる。
【００９４】
なお、点検用カバー１０２Ｂが開口部対応部Ｂ１から戸袋対応部Ｂ２までの長い長さになっているため、その途中に設けられ、戸袋１０７の開口部１０６側の見切り材となっている図１３の竪額縁１０９は、図１４に示すように、その上端１０９Ａが無目本体１０２Ａの上面まで達しない長さとなっている。この竪額縁１０９の上端９Ａは、長さ方向両端が図１３の無目本体１０２Ａの左右両端に結合されて無目本体１０２Ａに水平に架設されているアングル材製の補強部材１２０に固定されている。そして、点検用カバー１０２Ｂには、このカバー１０２Ｂが無目本体１０２Ａに取り付けられたときに竪額縁１０９が挿入する切り欠き部１０２Ｅが形成されている。
【００９５】
この実施形態によると、戸袋１０７と同じく、戸袋対応部Ｂ２が壁１０４の内部に収納されていても、この戸袋対応部Ｂ２の一方の側面は、壁１０４から露出していて開閉自在となっている点検用カバー１０２Ｂで覆われているため、このカバー１０２Ｂの取り外しによって戸袋対応部Ｂ２を壁１０４から露出させることができ、戸袋対応部Ｂ２についての保守点検等の所定の作業を行うことができる。
【００９６】
また、この実施形態の点検用カバー１０２Ｂは、引戸本体１０１を移動させるための移動装置Ｂの全長に亘るものであって、開口部対応部Ｂ１と戸袋対応部Ｂ２の両方を覆うものであるため、カバー１０２Ｂの取り外しにより、開口部対応部Ｂ１と戸袋対応部Ｂ２の両方についての作業を行える。
【００９７】
【発明の効果】
本発明によると、引戸本体を移動させるための移動装置に壁の内部に収納される部分があっても、この部分についての保守点検作業等の各種作業を行えるという効果を得られる。
【図面の簡単な説明】
【図１】本発明の一実施形態に係る引戸装置の全体を示す正面図である。
【図２】引戸本体を移動させるための移動装置を示す図であって、引戸本体が閉じ限位置に達しているときを示す図である。
【図３】引戸本体を移動させるための移動装置を示す図であって、引戸本体が開き限位置に達しているときを示す図である。
【図４】図１のＳ４―Ｓ４線断面図である。
【図５】図１のＳ５―Ｓ５線断面図である。
【図６】図５で示された戸袋の下部の拡大図である。
【図７】下地部材の部分を示す図５の一部拡大図である。
【図８】図１のＳ８―Ｓ８線断面図である。
【図９】下地部材の全体斜視図である。
【図１０】図１で示されている小面積外面形成部材と竪額縁の周辺の拡大図である。
【図１１】図１０のＳ１１−Ｓ１１線断面図である。
【図１２】小面積外面形成部材と、この小面積外面形成部材と対応する位置に配置されている下地部材とを取り外したときにおける図１０のＳ１２−Ｓ１２線断面図である。
【図１３】別実施形態に係る引戸装置の全体を示す正面図である。
【図１４】図１３のＳ１４−Ｓ１４線断面図である。
【符号の説明】
１，１０１  引戸本体
２、１０２  無目
２Ａ，１０２Ａ  無目本体
２Ｂ，１０２Ｂ  点検用カバー
４，１０４  壁
６，１０６  開口部
７，１０７  戸袋
３０  駆動装置
４０  制動装置
５０，５０Ａ〜５０Ｄ  下地部材
５５，５６  外面形成部材
Ａ，Ｂ  移動装置
Ａ１，Ｂ１  開口部対応部
Ａ２，Ｂ２  戸袋対応部
【図１】
0004749597.tif 000002
【図２】
0004749597.tif 000003
【図３】
0004749597.tif 000004
【図４】
0004749597.tif 000005
【図５】
0004749597.tif 000006
【図６】
0004749597.tif 000007
【図７】
0004749597.tif 000008
【図８】
0004749597.tif 000009
【図９】
0004749597.tif 000010
【図１０】
0004749597.tif 000011
【図１１】
0004749597.tif 000012
【図１２】
0004749597.tif 000013
【図１３】
0004749597.tif 000014
【図１４】
0004749597.tif 000015